(57)【特許請求の範囲】
【請求項１】
視認側を前方として車両に搭載される車両用表示装置（１０）であって、
前記車両に関する車両情報を前方に向けて表示する表示部（１１ｂ）と、
前記表示部の前方に設けられ、該表示部の前方空間を囲んだ囲み板部（６１）と、を備え、
前記表示部は、
外周側に向けて斜め前方に延びた傾斜表示面（４５ａ）と、
発光が可能であり、前記傾斜表示面の前側端部から外周側に向けて延びたことで前方を向いている外側表示面（４４ａ）と、を有しており、
前記囲み板部は、前記外側表示面の前方であって、該外側表示面の光が前方に放出される位置に配置されており、
前記外側表示面は、前記囲み板部の後側端面に対向する対向部分（４４ｂ）を有しており、
前記対向部分の幅寸法は、前記外側表示面の外周端に沿って延びる方向において徐々に小さくなっていることを特徴とする車両用表示装置。
【請求項２】
前記傾斜表示面は、発光可能であり、当該傾斜表示面の外周端に近付くにつれて徐々に輝度が大きくなるものであることを特徴とする請求項１に記載の車両用表示装置。
【請求項３】
前記傾斜表示面の外周端においては、該外周端に沿って延びる方向において前方への延出寸法が徐々に小さくなっており、前記延出寸法が大きい部分ほど輝度が小さくなるものであることを特徴とする請求項２に記載の車両用表示装置。
【請求項４】
視認側を前方として車両に搭載される車両用表示装置（１０）であって、
前記車両に関する車両情報を前方に向けて表示する表示部（１１ｂ）と、
前記表示部の前方に設けられ、該表示部の前方空間を囲んだ囲み板部（６１）と、を備え、
前記表示部は、
外周側に向けて斜め前方に延びた傾斜表示面（４５ａ）と、
発光が可能であり、前記傾斜表示面の前側端部から外周側に向けて延びたことで前方を向いている外側表示面（４４ａ）と、を有しており、
前記囲み板部は、前記外側表示面の前方であって、該外側表示面の光が前方に放出される位置に配置されており、
前記傾斜表示面は、発光可能であり、当該傾斜表示面の外周端に近付くにつれて徐々に輝度が大きくなり、
前記傾斜表示面の外周端においては、該外周端に沿って延びる方向において前方への延出寸法が徐々に小さくなっており、前記延出寸法が大きい部分ほど輝度が小さくなるものであることを特徴とする車両用表示装置。
【請求項５】
前記外側表示面からの光の輝度は、前記傾斜表示面の外周端からの光の輝度以上であることを特徴とする請求項２〜４のいずれか一項に記載の車両用表示装置。
【請求項６】
前記表示部の後方に設けられた光源（５５）を備え、
前記表示部は、前記光源からの光を前方に向けて透過させることで発光するものであり、
前記傾斜表示面においては、当該傾斜表示面の外周端に近付くにつれて徐々に前記表示部の透光率が大きくなっていることを特徴とする請求項２〜５のいずれか一項に記載の車両用表示装置。
【請求項７】
前記外側表示面は、前記囲み板部の後側端面よりも内周側にはみ出たはみ出し部分（４４ｃ）を有していることを特徴とする請求項１〜６のいずれか一項に記載の車両用表示装置。
【請求項８】
前記囲み板部の後側端面（６１ｂ）と前記外側表示面との間には、前記傾斜表示面側に向けて開放された表示隙間（６５）が設けられていることを特徴とする請求項１〜７のいずれか一項に記載の車両用表示装置。
【発明の詳細な説明】
【技術分野】
【０００１】
本発明は、車両に搭載される車両用表示装置に関する。
【背景技術】
【０００２】
従来から、車両のインストルメントパネル等に設置された車両用表示装置が知られている。例えば特許文献１に記載された車両用表示装置は、指針に対して設けられた文字板と、文字板の外周端に沿って延びた見返し板と、基板等を収納したケースとを有している。この車両用表示装置の文字板は、平板状に延びており、文字板がケースの側面部と見返し板との間に挟まれていることでケースに対して固定されている。
【先行技術文献】
【特許文献】
【０００３】
【特許文献１】特開２００６−１７６１２１号公報
【発明の概要】
【発明が解決しようとする課題】
【０００４】
ここで、車両用表示装置については、全体的な立体感を高めることで見栄えの向上を図ることがある。しかしながら、文字板が直線的に延びた構成では、見返し板が文字板から前方に突出しているという立体構造を実現することはできても、それ以上の立体感を醸し出すことは困難になっていると考えられる。このように、車両用表示装置の見栄えを高めることに関して、未だ改善の余地がある。
【０００５】
本発明は、上記問題を鑑みてなされたもので、その目的は、立体感を醸し出すことで見栄えを高めた車両用表示装置を提供することにある。
【課題を解決するための手段】
【０００６】
以下、課題を達成するための発明の技術的手段について、説明する。尚、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００７】
上述の課題を解決するために開示された発明は、
視認側を前方として車両に搭載される車両用表示装置（１０）であって、
車両に関する車両情報を前方に向けて表示する表示部（１１ｂ）と、
表示部の前方に設けられ、該表示部の前方空間を囲んだ囲み板部（６１）と、を備え、
表示部は、
外周側に向けて斜め前方に延びた傾斜表示面（４５ａ）と、
発光が可能であり、傾斜表示面の前側端部から外周側に向けて延びたことで前方を向いている外側表示面（４４ａ）と、を有しており、
囲み板部は、外側表示面の前方であって、該外側表示面の光が前方に放出される位置に配置されており、
外側表示面は、囲み板部の後側端面に対向する対向部分（４４ｂ）を有しており、
対向部分の幅寸法は、外側表示面の外周端に沿って延びる方向において徐々に小さくなっていることを特徴とする。
【０００８】
この発明によれば、車両用表示装置において、傾斜表示面が斜め前方に向けて延びていること、及び囲み板部が前方に向けて延びていることの両方により、立体構造を実現することができる。
【０００９】
しかも、外側表示面からの光の放出によりアンビエント照明が行われた場合、傾斜表示面においては、外側表示面との角度が異なっていることに起因して、外側表示面に近い部分ほど明るく見え、外側表示面から遠ざかるほど暗く見える。この場合、傾斜表示面に光によるグラデーションが付与された状態になるため、傾斜表示面について、前方への実際の延出寸法以上の奥行き感を醸し出すことができる。さらに、外側表示面からの光は、囲み板部の内周面（以下、囲み面ともいう）を奥側から照らすことになるため、囲み板部についても、前方への実際の延出寸法以上の奥行き感を醸し出すことができる。加えて、傾斜表示面と囲み面との境界領域において外側表示面が発光するため、囲み面が傾斜表示面の手前側にあるという位置関係が強調され、傾斜表示面及び囲み面により醸し出される奥行き感が更に顕著なものになる。
【００１０】
以上により、車両用表示装置について、立体感を醸し出すことで見栄えを高めることが
できる。
開示された１つの発明は、
視認側を前方として車両に搭載される車両用表示装置（１０）であって、
車両に関する車両情報を前方に向けて表示する表示部（１１ｂ）と、
表示部の前方に設けられ、該表示部の前方空間を囲んだ囲み板部（６１）と、を備え、
表示部は、
外周側に向けて斜め前方に延びた傾斜表示面（４５ａ）と、
発光が可能であり、傾斜表示面の前側端部から外周側に向けて延びたことで前方を向いている外側表示面（４４ａ）と、を有しており、
囲み板部は、外側表示面の前方であって、該外側表示面の光が前方に放出される位置に配置されており、
傾斜表示面は、発光可能であり、当該傾斜表示面の外周端に近付くにつれて徐々に輝度が大きくなり、
傾斜表示面の外周端においては、該外周端に沿って延びる方向において前方への延出寸法が徐々に小さくなっており、延出寸法が大きい部分ほど輝度が小さくなるものであることを特徴とする。
【図面の簡単な説明】
【００１１】
【図１】第一実施形態における車両用表示装置の正面図。
【図２】車両用表示装置の断面図であって、図１のII−II線断面図。
【図３】第二メータ周辺の車両用表示装置の拡大正面図。
【図４】第二メータ周辺の車両用表示装置の拡大断面図。
【図５】第二実施形態における車両用表示装置の正面図。
【図６】第二メータ周辺の車両用表示装置の拡大正面図。
【発明を実施するための形態】
【００１２】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１３】
（第一実施形態）
図１、図２に示すように、本発明の第一実施形態による車両用表示装置１０は、車両に関連した車両情報を表示するコンビネーションメータとして、車両の車室内のうちインストルメントパネルに設置されている。この場合、車両用表示装置１０は、運転席等の座席の前方位置においてその表示側が座席側を向いた状態になっており、座席側を車両用表示装置１０にとっての前方として車両情報を前方に向けて表示可能になっている。
【００１４】
車両用表示装置１０は、表示面を運転席側に向けて設置された表示板１１と、表示板１１を支持したケース１２と、ケース１２の前側に設けられた見返し部材１３と、見返し部材１３の開放部分を前方から覆ったカバー１４とを有している。車両用表示装置１０においては、表示板１１を収納した収納体がケース１２、見返し部材１３及びカバー１４により形成されている。なお、インストルメントパネルにおいては、車両用表示装置１０の前面外周端がクラスタにより前方から覆われており、図１、図３においては、クラスタにより覆われる部分を二点鎖線で示している。
【００１５】
図４に示すように、表示板１１は、その前面を形成した表示基材２１と、表示基材２１の後面に印刷により形成された印刷層２２とを有している。表示基材２１は、ポリカーボネート樹脂等により板状に形成されており、印刷層２２は、色料、着色材、添加材により形成されている。表示基材２１が透光性を有している一方で、印刷層２２が遮光性を有しており、表示板１１においては、印刷層２２の付与態様に応じて透光率の異なる部分が存在している。
【００１６】
印刷層２２による遮光率は、色の濃淡により設定されている。本実施形態の印刷層２２は、シルバー系の印刷色を有しており、彩度や明度が低いほど遮光率が高くなっている。つまり、シルバー系のうち彩度や明度の低い色の部分については、彩度や明度の高い色の部分に比べて遮光率が高くなっている。なお、遮光率は、印刷層２２の厚みにより設定されていてもよい。この場合、印刷層２２の厚み寸法の大きい部分ほど遮光率が高くなっており、色の濃さを均一にしつつ透光率の異なる部分を存在させることができる。
【００１７】
図２、図４に示すように、ケース１２は、前方に向けて開放された箱体であり、表示板１１は、ケース１２の開放側を前方から塞いだ状態で設けられている。見返し部材１３は、前後方向に開放された筒状部材であり、ケース１２の前側に設けられている。ケース１２及び見返し部材１３は、いずれも合成樹脂材料により形成されており、不透光性を有している。特に、見返し部材１３の形成材料は黒色樹脂とされている。
【００１８】
表示板１１は、ケース１２の前側に配置されており、ケース１２と見返し部材１３とに挟み込まれた状態でケース１２に対して固定されている。見返し部材１３は、表示板１１の周縁部に沿って延びた外周部２３を有しており、この外周部２３がケース１２の側面部１２ａに前後に並ぶ位置に配置されている。見返し部材１３は、ケース１２に設けられた受け部１２ｂに引っ掛かった引っ掛け部２３ａを有しており、この引っ掛け部２３ａは、見返し部材１３をケース１２に前方から押し付けることで受け部１２ｂに引っ掛かるようになっている。
【００１９】
なお、受け部１２ｂは、ケース１２において側面部１２ａの開放側端部に設けられた縁部であり、引っ掛け部２３ａは、見返し部材１３において外周部２３の後側端部に設けられた突起である。
【００２０】
カバー１４は、合成樹脂材料により形成され、透明性を有している。カバー１４は、見返し部材１３の開放部分を前方から覆った状態で、その見返し部材１３に取り付けられている。また、カバー１４は、その周縁部に沿って延びた縁部１４ａを有しており、この縁部１４ａの内側に見返し部材１３の前側端部が入り込んだ状態になっている。なお、カバー１４は、透明性を有していれば、ガラス材料により形成されていてもよい。また、見返し部材１３の内側に嵌め込まれた状態で設けられていてもよい。
【００２１】
図１、図２に示すように、車両用表示装置１０は、左右に配置されたメータ３１，３２と、これらメータ３１，３２の間に配置された中間表示部３３とを有している。これらメータ３１，３２及び中間表示部３３は、それぞれ車両情報を表示することが可能になっている。具体的には、第一メータ３１は、車両情報として車両の走行速度を表示するスピードメータであり、正面視で左寄りの位置に配置されている。第二メータ３２は、車両情報として車両エンジンの回転数を表示するタコメータである。中間表示部３３は、ナビゲーション画像や車載バッテリの電力残量、警告などを表示することが可能になっている。
【００２２】
中間表示部３３は、表示板１１の後側に配置された矩形状の液晶パネル３５を有している。液晶パネル３５は、液晶が保持された液晶層、液晶層の両側に配置された一対の電極、カラーフィルタ基板、および一対の偏光フィルムを有して構成された、ＴＦＴ液晶パネルである。電極は、行電極および列電極を組合せたマトリクス電極であり、画素毎に設けられた透明電極で構成され、電極に印加される電圧は薄膜トランジスタにより制御される。カラーフィルタ基板は、赤色フィルタ、緑色フィルタおよび青色フィルタを有し、各フィルタは画素毎（電極毎）に配置されている。また、各画素をオンオフする図示しない薄膜トランジスタ（ＴＦＴ）を備えている。偏光フィルムは、所定方向に振動する光を透過して光の振動方向を所定方向に規制するフィルタである。一対の偏光フィルムは、振動方向が９０度ずれるように配置されている。このＴＦＴ液晶パネルは公知の構造である。
【００２３】
表示板１１は、液晶パネル３５の前面に重なった液晶領域１１ａを有しており、この液晶領域１１ａは、液晶パネル３５と共に中間表示部３３に含まれている。液晶領域１１ａは、液晶パネル３５の表示面とほぼ同じ大きさ及び形状を有しており、平板状になっている。液晶領域１１ａにおいては、印刷層２２が設けられていないことで表示板１１の透光性が高く設定されており、表示板１１を通じて液晶パネル３５の画像を前方から視認可能になっている。
【００２４】
また、表示板１１は、車両情報を数値で示すためのメータ領域１１ｂを有している。ここで、メータ３１，３２は、複数の目盛り４１と、目盛り４１を指し示す指針４２を有しており、メータ領域１１ｂは、メータ３１，３２のそれぞれに対して設けられている。メータ領域１１ｂは、各指針４２と共にメータ３１，３２に含まれており、円弧及び弦により囲まれた形状になっている。メータ領域１１ｂは、液晶領域１１ａから側方に向けて膨らんでおり、弦の位置に液晶領域１１ａの側端部が配置されている。
【００２５】
メータ領域１１ｂは、このメータ領域１１ｂの周縁部に沿って延びた外周リング部４４と、外周リング部４４の内周側に設けられた加飾リング部４５と、加飾リング部４５の内周側に配置された内周部４６とを有している。内周部４６は、メータ領域１１ｂと同様に、円弧及び弦により囲まれた形状になっており、リング部４４，４５は内周部４６の円弧に沿って帯状に延びている。複数の目盛り４１は、加飾リング部４５において、メータ領域１１ｂの周方向に沿って所定間隔で配置されている。各目盛り４１は、メータ領域１１ｂの径方向に延びた細長形状になっており、加飾リング部４５から内周側や外周側にはみ出さない状態で設けられている。なお、メータ領域１１ｂ、外周リング部４４及び加飾リング部４５は、平面視Ｃ字状になっている。
【００２６】
メータ領域１１ｂにおいては、印刷層２２の非設置部分が部分的に存在し、この非設置部分により目盛り４１が形成されている。メータ領域１１ｂにおいては、各目盛り４１に対応した文字や数字が内周部４６などに設けられており、メータ領域１１ｂを文字盤と称することもできる。
【００２７】
表示板１１は、液晶領域１１ａ及びメータ領域１１ｂに加えて、これら領域１１ａ，１１ｂの外側に設けられた外側領域１１ｃを有している。外側領域１１ｃには、表示板１１の周縁部が含まれており、この外側領域１１ｃの一部がケース１２と見返し部材１３との間に挟み込まれていることになる。
【００２８】
メータ３１，３２のそれぞれにおいて、指針４２は、メータ領域１１ｂの前側に配置されており、各指針４２の回転軸線は、メータ領域１１ｂの円弧の中心を通る中心線Ｏに重なっている。指針４２において、中心線Ｏからの長さ寸法は、内周部４６の半径よりも大きく且つ加飾リング部４５の半径よりも小さくなっている。この場合、指針４２の先端部は、加飾リング部４５に前後に重なる位置を通過することになる。
【００２９】
車両用表示装置１０は、表示板１１の後方においてケース１２に収納された回路基板５１を有しており、指針４２を回転させるための駆動部５２が、この回路基板５１に取り付けられている。駆動部５２は、指針軸部５３により指針４２に接続されており、指針軸部５３は、回路基板５１及び表示板１１の両方を貫通している。
【００３０】
また、車両用表示装置１０は、メータ領域１１ｂの加飾リング部４５の後方に設けられた光源としての発光ユニット５５と、発光ユニット５５の光をメータ領域１１ｂに向けて放出する導光板５６とを有している。発光ユニット５５は、発光色の異なる複数のＬＥＤを発光体として有しており、回路基板５１の前面に実装されている。回路基板５１は、発光ユニット５５を発光させることが可能な発光回路を有しており、発光ユニット５５は、発光回路に対する指令信号に応じて所定の色で発光するようになっている。本実施形態では、発光ユニット５５は、白色、緑色及び赤色のいずれかで発光可能になっている。
【００３１】
導光板５６は、メータ領域１１ｂの後方において表示板１１の後面全体に重ねられた状態で設けられており、発光ユニット５５は、導光板５６から後方に離間した位置に配置されている。ここで、発光ユニット５５の光が導光板５６の後面から入射した場合、その光が導光板５６の内部を進むことで導光板５６の前面全体がほぼ同じ明るさで発光する。この場合、発光ユニット５５の光によりメータ領域１１ｂのほぼ全体が後方から一様に照らされる。
【００３２】
メータ領域１１ｂにおいては、内周部４６が液晶領域１１ａと前面同士で同一平面を形成するように平板状になっている一方で、加飾リング部４５は、表示板１１の幅方向において、内周部４６の周縁部から外周側に向けて斜め前方に延びている。この場合、加飾リング部４５の外周端においては、中心線Ｏの側方にある部分が液晶領域１１ａから最も遠い部分になっており、この部分が液晶領域１１ａを基準として最も前方に突出している。また、加飾リング部４５の外周端においては、周方向に沿って液晶領域１１ａに近づくにつれて徐々に突出寸法が小さくされており、液晶領域１１ａとの境界部分では液晶領域１１ａとの間で段差が生じないようになっている。
【００３３】
加飾リング部４５においては、その径方向の中間部分が後方に向けて膨らむように湾曲しており、この膨らみ寸法は、周方向において液晶領域１１ａから最も遠い部分が最も大きくなっている。また、この膨らみ寸法は、周方向に沿って液晶領域１１ａに近づくにつれて徐々に小さくされており、液晶領域１１ａとの境界部分においては、膨らまずに径方向において直線的に延びている。
【００３４】
加飾リング部４５の外周端において、周方向において液晶領域１１ａから最も遠い部分は、指針４２よりも前方に突出している。ここで、指針４２は、内周部４６と平行に延びているが、その先端部が加飾リング部４５の前面４５ａに接触せず、且つ先端部が目盛り４１に前後に重なる長さ寸法を有している。
【００３５】
外周リング部４４の前面４４ａは、加飾リング部４５の外周端から外側に向けて、内周部４６の前面４６ａと同じ方向に延びている。外周リング部４４は、加飾リング部４５の外周端に沿って延びており、周方向において液晶領域１１ａから最も遠い部分が最も前方に配置されている。また、外周リング部４４は、周方向に沿って液晶領域１１ａに近づくにつれて徐々に前方への突出寸法が小さくされており、液晶領域１１ａとの境界部分においては、液晶領域１１ａとの間で段差が生じないようになっている。
【００３６】
なお、外側領域１１ｃは、外周リング部４４の外周端と、ケース１２の側面部１２ａの開放側端部との位置関係に合わせて、表示板１１の厚み方向に凹凸した形状になっている。表示板１１については、平板状の基材に印刷を施した状態の板材を空圧成型することで、メータ領域１１ｂや外側領域１１ｃに凹凸を付与している。
【００３７】
また、メータ領域１１ｂが表示部に相当し、外周リング部４４の前面４４ａが外側表示面に相当し、加飾リング部４５の前面４５ａが傾斜表示面に相当する。
【００３８】
図４に示すように、メータ領域１１ｂは、前方に向けて膨らんだ膨出部分５８を有しており、この膨出部分５８には加飾リング部４５及び外周リング部４４が含まれている。導光板５６は、膨出部分５８の内部空間に後ろから入り込んだ入り込み部５６ａを有しており、これによって、導光板５６の前面がメータ領域１１ｂの背面に重なっている。この場合、導光板５６の前面から一様に放出された光がメータ領域１１ｂの後面に対して均一に入射されるようになっている。
【００３９】
入り込み部５６ａは、メータ領域１１ｂの径方向において導光板５６の中間位置に配置されている。導光板５６においては、入り込み部５６ａよりも外側に向けて延びた部分が、外側領域１１ｃと共にケース１２と見返し部材１３との間に挟み込まれている。
【００４０】
メータ領域１１ｂにおいては、外周リング部４４の透光率が内周部４６の透光率よりも高くなっている。外周リング部４４の透光率を第一値とし、内周部３６の透光率を第二値と仮定した場合、第一値は第二値よりも非常に大きくなっている。この場合、印刷層２２において、内周部４６は彩度や明度の低い色になっており、外周リング部４４は彩度や明度の高い色になっている。
【００４１】
加飾リング部４５の外周端においては、内周部４６に対する前方への突出寸法が最も大きい部分の透光率が、外周リング部４４の透光率とほぼ同じに設定されている。また、この外周端においては、突出寸法が小さくなるにつれて徐々に透光率が低くされており、突出していない部分の透光率は内周部４６の透光率とほぼ同じに設定されている。この場合、加飾リング部４５においては、グラデーション印刷により印刷層２２が形成されることで、径方向の外側に向けて彩度や明度の低い色から彩度や明度の高い色に近づくように徐々に色が変化している。
【００４２】
外周リング部４４の透光率は、液晶領域１１ａや目盛り４１の透光率よりも若干低くなっている。また、外側領域１１ｃの透光率は、内周部４６の透光率とほぼ同じに設定されている。なお、図１、図３においては、領域１１ａ〜１１ｃの境界部を明確にするために実線で図示しているが、境界部に実際に線が付与されているわけではない。
【００４３】
次に、見返し部材１３について説明する。図４に示すように、見返し部材１３は、メータ３１，３２及び中間表示部３３を含んだ前方空間を囲んだ見返し板部６１と、見返し板部６１を支持する支持部６２と、見返し板部６１を外周部２３に接続した接続部６３とを有している。なお、見返し板部６１は、表示板１１の前方空間として、メータ３１，３２及び中間表示部３３の前方空間を囲んでおり、囲み板部に相当する。また、表示板１１を囲み部と称することもできる。さらに、見返し板部６１は、表示板１１の前方空間を区画した状態になっており、区画板部や区画部と称することもできる。
【００４４】
見返し板部６１は、外周部２３の内周側において、加飾リング部４５の前方位置から外周側に向けて斜め前方に延びており、その前側端部が見返し部材１３の前側端部になっている。見返し板部６１の内周面を見返し面６１ａと称すれば、見返し面６１ａは、加飾リング部４５において液晶領域１１ａから最も離れた部分の前側端部の接線と同じ角度に設定されている。この接線を見返し接線と称すれば、見返し板部６１の周方向において、加飾リング部４５の幅方向に液晶領域１１ａから最も離れた部分の見返し面６１ａは、見返し接線に重なる位置に配置されている。
【００４５】
図３、図４に示すように、メータ領域１１ｂの径方向において、見返し面６１ａの後側端部は、加飾リング部４５の前側端部よりも外側に配置されている。この場合、外周リング部４４の前面４４ａには、見返し板部６１の後側端面６１ｂに対向した対向部分４４ｂと、後側端面６１ｂに対向していない非対向部分４４ｃとが含まれている。対向部分４４ｂ及び非対向部分４４ｃは、いずれも外周リング部４４の周方向に沿って延びている。対向部分４４ｂは、見返し板部６１の後側に隠れた隠れ部分に相当し、非対向部分４４ｃは、見返し板部６１の後側端面６１ｂよりも内周側にはみ出したはみ出し部分に相当する。
【００４６】
外周リング部４４においては、非対向部分４４ｃが周方向の全体に配置されている一方で、対向部分４４ｂは周方向の中間位置にだけ配置されている。この場合、液晶領域１１ａから最も離れた部分においては、非対向部分４４ｃの外周側に対向部分４４ｂが配置されており、液晶領域１１ａとの境界部分においては、対向部分４４ｂは存在せずに非対向部分４４ｃだけが配置されている。つまり、対向部分４４ｂは、外周リング部４４の周方向において液晶領域１１ａから離間した位置に配置されている。
【００４７】
対向部分４４ｂの幅寸法Ｗ１は、液晶領域１１ａから最も離れた部分が最も大きく、外周リング部４４の周方向に沿って液晶領域１１ａに近付くにつれて徐々に小さくなっており、液晶領域１１ａとの境界部分においてはゼロになっている。その一方で、非対向部分４４ｃの幅寸法Ｗ１は、外周リング部４４の周方向の全体においてほぼ同じ値になっている。
【００４８】
加飾リング部４５の幅寸法Ｗ３は、外周リング部４４の非対向部分４４ｃの幅寸法Ｗ２と同様に、メータ領域１１ｂの周方向の全体においてほぼ同じ値になっている。また、この幅寸法Ｗ２は、非対向部分４４ｃの幅寸法Ｗ２よりも大きくされている。
【００４９】
表示板１１が見返し板部６１から相対的に後方に離間していることで、これら表示板１１と見返し板部６１との間には表示隙間６５が形成されている。ここで、外周リング部４４の前面４４ａは、見返し板部６１の後側端面６１ｂから表示隙間６５の分だけ後方に離間している。この場合、車両用表示装置１０を視認する角度によっては、外周リング部４４の前面４４ａにおいて見返し板部６１の後側端面６１ｂに対向した部分を前方から視認可能になっている。表示隙間６５の寸法Ｄは、表示板１１の前面と見返し板部６１の後側端面６１ｂとの離間距離である。また、この前後寸法Ｄは、外周リング部４４の露出部分の幅寸法Ｗ１よりも小さくなっている。
【００５０】
見返し板部６１の見返し面６１ａ及び後側端面６１ｂについては、樹脂材料の色である黒色の上に印刷層２２と同系色の印刷が施されている。本実施形態では、見返し面６１ａ及び後側端面６１ｂの色がシルバー系とされており、これら見返し面６１ａ及び後側端面６１ｂのそれぞれにおいて全体の色の濃さが均一になっている。なお、見返し面６１ａ及び後側端面６１ｂに対する印刷はメタリック印刷とされていてもよい。
【００５１】
次に、発光ユニット５５に関する電気的な構成について簡単に説明する。図２に示すように、回路基板５１には、指令信号を出力することで発光ユニット５５の発光態様を制御する制御装置７１が実装されている。制御装置７１は、マイクロコンピュータ等の電子回路を有しており、発光ユニット５に電気的に接続されている。制御装置７１には、車両の走行モードを切り替えるための操作スイッチが電気的に接続されている。
【００５２】
操作スイッチとしては、エコスイッチとパワースイッチとがあり、エコスイッチがオン状態にある場合、走行モードがエコモードに設定され、アクセル操作に対する駆動力が穏やかになったり、空調の効き具合が抑えられたりするようになっている。パワースイッチがオン状態にある場合、走行モードがパワーモードに設定され、アクセル操作に対するレスポンスや加速性能が高められるようになっている。また、エコスイッチ及びパワースイッチのいずれもオン状態にない場合、走行モードは通常モードに設定される。
【００５３】
制御装置７１は、走行モードに合わせて異なる色のＬＥＤを発光させるように発光ユニット５５の発光態様を制御している。例えば、走行モードが通常モードに設定されている場合には発光ユニット５５を白色で発光させ、エコモードに設定されている場合には発光ユニット５５を緑色で発光させ、パワーモードに設定されている場合には発光ユニット５５を赤色で発光させる。
【００５４】
発光ユニット５５が白色で発光した場合、この光が表示板１１を通じて前方に放出されることでメータ領域１１ｂが部分的に白色に発光する。メータ領域１１ｂにおいては、目盛り４１が白色の光により浮かび上がったように表示され、外周リング部４４によるアンビエント照明が白色の光により行われる。また、内周部４６においては、光がほとんど前方に放出されずにグレー系の印刷色がほぼそのまま視認される。
【００５５】
加飾リング部４５においては、内周端から外周端に向かうにつれて、前方への白色の光の放出量が徐々に大きくなっており、この光により加飾リング部４５にグラデーションが付与された状態になる。また、加飾リング部４５においては、目盛り４１の輝度が最も大きくなっており、目盛り４１が手前側に浮かび上がったように視認される。
【００５６】
メータ領域１１ｂを通じて前方に放出された白色の光は、メータ３１，３２の前方において見返し板部６１の見返し面６１ａを照らすことになる。特に、目盛り４１を通じて前方に放出された白色の光が見返し面６１ａに沿って前方に延びた場合、あたかも目盛り４１が加飾リング部４５から表示隙間６５を越えて見返し板部６１にまで延びているかのように見えることになる。
【００５７】
発光ユニット５５が緑色や赤色で発光した場合も、白色で発光した場合と同様に、メータ３１，３２の奥行き感や遠近感が強調されるようになっている。ここで、外周リング部４４においては、その前面４４ａの全体が発光するため、発光ユニット５５の発光色の違いを人に認識させやすくなっている。
【００５８】
ここまで説明した第一実施形態の作用効果を、以下に説明する。
【００５９】
第一実施形態によれば、加飾リング部４５の前面４５ａが斜め前方に向けて延びていること、及び見返し板部６１が前方に向けて延びていることの両方により、メータ３１，３２の立体構造を実現できる。
【００６０】
しかも、外周リング部４４によりメータ領域１１ｂのアンビエント照明を行うことができる。ここで、加飾リング部４５の前面４５ａが外周リング部４４の前面４４ａに対して傾斜しているため、加飾リング部４５の前面４５ａにおいては、外周リング部４４に近い部分ほど明るく見え、外周リング部４４から遠ざかるにつれて徐々に暗く見える。この場合、加飾リング部４５に光によるグラデーションが付与された状態になるため、この前面４５ａについて、前方への実際の延出寸法以上の奥行き感や遠近感を醸し出すことができる。
【００６１】
さらに、外周リング部４４からの光は、見返し板部６１の見返し面６１ａを後方から照らすことになるため、見返し板部６１についても、実際の延出寸法以上の奥行き感や遠近感を醸し出すことができる。
【００６２】
加えて、加飾リング部４５の前面４５ａと見返し面６１ａとの境界領域において外周リング部４４が発光する。このため、見返し面６１ａが加飾リング部４５の前方にあるという位置関係が強調され、加飾リング部４５の前面４５ａ及び見返し面６１ａにより醸し出される奥行き感や遠近感が更に顕著なものになる。
【００６３】
以上により、車両用表示装置１０のメータ３１，３２について、奥行き感や遠近感といった立体感を醸し出すことで見栄えを高めることができる。
【００６４】
第一実施形態によれば、外周リング部４４の前面４４ａのうち非対向部分４４ｃが見返し板部６１よりも内周側にはみ出している。このため、外周リング部４４の非対向部分４４ｃから放出された光が見返し面６１ａに当たりやすくなっている。この場合、見返し面６１ａについても、光によるグラデーションが付与されることで奥行き感や遠近感を強調することができる。
【００６５】
第一実施形態によれば、外周リング部４４の対向部分４４ｃの幅寸法Ｗ１は、周方向において徐々に小さくなっており、この幅寸法Ｗ１が小さい部分ほど、加飾リング部４５と見返し板部６１との境界領域の輝度が小さくなる。つまり、表示隙間６５における輝度が小さくなる。このため、外周リング部４４については、その周方向においても奥行き感や遠近感を醸し出すことができる。
【００６６】
第一実施形態によれば、外周リング部４４と見返し板部６１との間に表示隙間６５が設けられている。このため、外周リング部４４の前面４４ａのうち対向部分４４ｃからの光が、表示隙間６５を通じて加飾リング部４５や見返し板部６１の内周側に放出されやすくなっている。
【００６７】
第一実施形態によれば、加飾リング部４５においては、その径方向において外周リング部４４に近付くにつれて光の放出量が徐々に大きくなる。このため、外周リング部４４からの光によるグラデーションに加えて、加飾リング部４５自身から放出される光によりグラデーションを生じさせることができる。この場合、光による加飾リング部４５のグラデーションの明暗が明確になるため、加飾リング部４５の奥行き感や遠近感を高めることができる。
【００６８】
第一実施形態によれば、外周リング部４４からの光が少なくとも加飾リング部４５からの光と同じ明るさを有しているため、外周リング部４４の光によって加飾リング部４５の奥行き感や遠近感を更に強調することができる。
【００６９】
第一実施形態によれば、メータ領域１１ｂにおいては発光ユニット５５の光を前方に透過させているため、メータ領域１１ｂそのものを発光させる必要がない。この場合、メータ領域１１ｂの内部にＬＥＤ等の発光体を内蔵させる必要がないため、メータ領域１１ｂの構成が複雑になることを抑制できる。
【００７０】
第一実施形態によれば、加飾リング部４５の外周端においては、内周部４６からの前方への突出寸法が小さくなるほど光の放出量が小さくなっている。このため、加飾リング部４５においては、その径方向に加えて周方向についても光の強弱により奥行き感や遠近感を醸し出すことができる。特に、加飾リング部４５の外周端においては、車両用表示装置１０の各側端寄りの位置の突出寸法及び光の放出量が最も大きくなっている。このため、メータ３１，３２が車両用表示装置１０において前方への立体感が中央側から側端に向けて徐々に大きく醸し出されるようになっている。
【００７１】
（第二実施形態）
図５、図６に示すように、第二実施形態による車両用表示装置１０においては、第一実施形態による車両用表示装置１０とは異なり、外周リング部４４の非対向部分４４ｃの幅寸法Ｗ２と、加飾リング部４５の幅寸法Ｗ３とが周方向において均一になっていない。
【００７２】
外周リング部４４の非対向部分４４ｃにおいては、液晶領域１１ａから最も遠い部分が最も幅寸法Ｗ２の大きい部分になっており、その周方向に沿って液晶領域１１ａに近付くにつれて徐々に幅寸法Ｗ２が小さくなっている。この場合、非対向部分４４ｃにおいては、液晶領域１１ａとの境界部分が最も幅寸法Ｗ２の小さい部分になっている。また、非対向部分４４ｃにおいては、液晶領域１１ａとの境界部分が内周部４６を挟んで２つ存在しているが、これら境界部分の各幅寸法Ｗ２は同じ値になっている。
【００７３】
加飾リング部４５においても、非対向部分４４ｃと同様に、液晶領域１１ａから最も遠い部分が最も幅寸法Ｗ３の大きい部分になっており、その周方向に沿って液晶領域１１ａに近付くにつれて徐々に幅寸法Ｗ３が小さくなっている。ここで、加飾リング部４５においても非対向部分４４ｃと同様に、液晶領域１１ａとの境界部分が内周部４６を挟んで２つ存在しているが、これら境界部分の各幅寸法Ｗ３は異なっている。この場合、上側の境界部分の方が下側の境界部分よりも幅寸法Ｗ３が大きくなっている。
【００７４】
第二の実施形態によれば、外周リング部４４の非対向部分４４ｃにおいて幅寸法Ｗ２の最も大きい部分が、加飾リング部４５の外周端において最も輝度の大きい部分の外周側に配置されている。このため、外周リング部４４及び加飾リング部４５における光の明暗を更に明確にできる。したがって、メータ３１，３２における奥行き感や遠近感が更に顕著なものにすることができる。
【００７５】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００７６】
（変形例１）
上記各実施形態では、外周リング部４４の周方向において、対向部分４４ｂが配置されていない部分が存在していたが、変形例１では、周方向の全てにおいて対向部分４４ｂが配置されていてもよい。
【００７７】
（変形例２）
上記各実施形態では、外周リング部４４の対向部分４４ｂの幅寸法Ｗ１が、周方向において徐々に小さくなっていたが、変形例２では、この幅寸法Ｗ１が周方向において同じ大きさに設定されていてもよい。
【００７８】
（変形例３）
変形例３では、外周リング部４４からの光が前方に放出される構成であれば、外周リング部４４と見返し板部６１との間に表示隙間６５が設けられていなくてもよく、外周リング部４４の前面４４ａに非対向部分４４ｃが含まれていなくてもよい。例えば、表示隙間６５が設けられていない構成では、外周リング部４４からの光を前方に放出するために、外周リング部４４の前面４４ａが見返し板部６１の後側端面６１ｂよりも内周側にはみ出していることが好ましい。つまり、前面４４ａに非対向部分４４ｃが含まれていることが好ましい。また、前面４４ａに非対向部分４４ｃが含まれていない構成では、外周リング部４４からの光を前方に放出するために、外周リング部４４と見返し板部６１との間に表示隙間６５が形成されていることが好ましい。
【００７９】
（変形例４）
上記各実施形態では、目盛り４１が加飾リング部４５に配置されていたが、変形例４では、目盛り４１が内周部４６や外周リング部４４に配置されていてもよい。例えば、目盛り４１が外周リング部４４の非対向部分４４ｃに配置された構成とする。この構成では、外周リング部４４の一部の遮光率が高くなっており、この遮光率の高い部分により目盛り４１が形成されている。このため、目盛り４１は、発光ユニット５５が発光した場合に周囲に比べて輝度が非常に低いことで表示されることになる。
【００８０】
（変形例５）
上記各実施形態では、加飾リング部４５の前面４５ａが、その径方向の中間部分が後側に向けて膨らむように湾曲していたが、変形例５では、傾斜表示面としての前面４５ａが、前側に向けて膨らむように湾曲していてもよい。また、この前面４５ａは、前後に膨らまずに直線的に延びていてもよい。
【００８１】
（変形例６）
上記各実施形態では、加飾リング部４５には、径方向の外側に向けて徐々に色が変化することで色のグラデーションが付与されていたが、変形例６では、色のグラデーションが、係方向の外側に向けて段階的に色が変化することで付与されていてもよい。
【００８２】
（変形例７）
上記各実施形態では、見返し板部６１の見返し面６１ａが外周側に向けて斜め前方に延びていたが、変形例７では、見返し面６１ａが外周側に向かずに前方に向けて延びていてもよい。
【００８３】
（変形例８）
上記各実施形態では、メータ領域１１ｂが円弧及び弦により囲まれた領域になっていたが、変形例８では、メータ領域１１ｂが円により囲まれた領域になっていてもよい。この場合、加飾リング部４５及び外周リング部４４は、それぞれ内周側及び外周側の各円により環状に形成されていることになる。
【００８４】
（変形例９）
上記各実施形態では、加飾リング部４５において、内周端に対する外周端の前方への突出寸法がその周方向に沿って徐々に小さくなっていたが、変形例９では、この突出寸法が周方向の全ての部分において同じにされていてもよい。この場合、内周部４６に対する外周リング部４４の突出寸法も周方向の全ての部分において同じにされていてもよい。
【００８５】
（変形例１０）
上記各実施形態では、加飾リング部４５の前面４５ａが傾斜表示面として傾斜していたが、変形例１０では、内周部４６の前面４６ａが傾斜表示面として傾斜していてもよい。例えば、内周部４６の径方向において、前面４６ａが外周側に向けて斜め前方に延びた構成とする。この場合、加飾リング部４５の前面４５ａが外周側に向けて側方に延びていれば、この前面４５ａが外側表示部に相当する。
【００８６】
（変形例１１）
上記核実施形態では、メータ領域１１ｂの加飾リング部４５から光が放出される構成としたが、変形例１１では、加飾リング部４５から光が放出されない構成としてもよい。例えば、加飾リング部４５の前面４５ａの全体について印刷層２２の遮光率が非常に高く設定された構成とする。この構成では、加飾リング部４５からの光によるグラデーションを生じさせることはできないものの、外周リング部４４からの光により加飾リング部４５の前面４５ａが照らされることで、この前面４５ａに光によるグラデーションが付与される。このグラデーションにおいては、外周リング部４４の外周端から内周端に向けて輝度が徐々に小さくなっていくことになる。
【００８７】
（変形例１２）
上記各実施形態では、メータ領域１１ｂにおいて、外周リング部４４及び加飾リング部４５により奥行き感や遠近感を醸し出す構成が実現されていたが、変形例１２では、液晶領域１１ａに対して奥行き感や遠近感が醸し出される構成が付与されていてもよい。
【００８８】
例えば、表示板１１が、液晶領域１１ａの周縁部から外周側に向けて斜め前方に延びた傾斜表示面と、傾斜表示面の外周端から外周側に向けて延びたことで前方を向いている外側表示面とを有している。傾斜表示面及び外側表示面は、液晶領域１１ａの周縁部に沿って一周しており、これら表示面の後方には発光ユニット５５が配置されている。傾斜表示面については、発光ユニット５５の光により、加飾リング部４５の液晶領域１１ａとの境界部の輝度が最も小さく且つ外周側に向けて徐々に輝度が大きくなるように、透光率が設定されている。外側表示面については、発光ユニット５５の光により、加飾リング部４５の輝度に比べて大きい輝度になるように、透光率が設定されている。この構成でも、液晶領域１１ａについて、外側表示面及び傾斜表示面が発光することで奥行き感や遠近感を醸し出すことができる。
【符号の説明】
【００８９】
１０…車両用表示装置、１１ｂ…メータ領域、４４…外周リング部、４４ａ…前面、４４ｂ…対向部分、４４ｃ…非対向部分、４５…加飾リング部、４５ａ…前面、５５…発光ユニット、６１…見返し板部、６１ｂ…後側端面、６５…表示隙間。
【図１】
0006447375.tif 000002
【図２】
0006447375.tif 000003
【図３】
0006447375.tif 000004
【図４】
0006447375.tif 000005
【図５】
0006447375.tif 000006
【図６】
0006447375.tif 000007